(57)【要約】【課題】商品に付与されたポイントの集計を団体単位で容易に行うことができる商品ポイント集計システムを提供する。【解決手段】レシート発行装置１０は商品の販売時にレシート印刷情報に加えてレシート印刷情報と商品に関する固有の情報と商品に付与されるポイントとを符号化した符号化コードを印刷したレシートを発行するレシート発行部１１を備え、携帯情報端末２０は、レシートに印刷された符号化コードを撮像する撮像部２１と、当該符号化コードをポイント集計装置３０に送信する送信部２２とを備え、ポイント集計装置３０は、受信した符号化コードに基づいてレシートが発行されたときに販売された前記商品に付与されたポイントを取得するポイント取得部３１と、取得されたポイントをユーザが属する所定の団体のポイントとして集計するポイント集計部３２とを備える。【選択図】図１
2017219983.tif 000002
【特許請求の範囲】
【請求項１】
レシート発行装置と、所定の団体に属するユーザが所持する携帯情報端末と、ポイント集計装置と、を備えた商品ポイント集計システムであって、
前記レシート発行装置は、
商品の販売時に、発行されるレシートに印刷される情報であるレシート印刷情報に加えて、前記レシート印刷情報と前記商品に関する固有の情報と前記商品に付与されるポイントとを符号化した符号化コードを印刷したレシートを発行するレシート発行手段を備え、
前記携帯情報端末は、
前記レシート発行装置により発行されたレシートに印刷された符号化コードを撮像する撮像手段と、
前記撮像手段により撮像された符号化コードを、前記ポイント集計装置に送信する送信手段とを備え、
前記ポイント集計装置は、
前記携帯情報端末から受信した符号化コードに基づいて前記レシートが発行されたときに販売された前記商品に付与されたポイントを取得するポイント取得手段と、
前記ポイント取得手段により取得されたポイントを前記ユーザが属する前記所定の団体のポイントとして集計するポイント集計手段と、
を備えたことを特徴とする商品ポイント集計システム。
【請求項２】
前記ポイント集計装置は、同一のレシートに印刷された符号化コードを複数受信したか否かをチェックする重複チェック手段を備え、
前記重複チェック手段により同一のレシートに印刷された符号化コードを複数受信したと判定された場合には、前記ポイント集計手段は、前記複数の同一のレシートに印刷された符号化コードのうち１つの前記レシートに印刷された符号化コードに対応するポイントのみを集計対象とすることを特徴とする
請求項１に記載の商品ポイント集計システム。
【請求項３】
前記重複チェック手段は、受信した符号化コードで表される情報内容を比較することにより、同一のレシートに印刷された符号化コードを複数受信したか否かをチェックすることを特徴とする
請求項２に記載の商品ポイント集計システム。
【請求項４】
前記商品に関する固有の情報には、前記商品が製造された年月日と、前記商品が製造された工場と、に関する情報の少なくとも一方が含まれることを特徴とする
請求項１から３の何れか１項に記載の商品ポイント集計システム。
【請求項５】
前記ポイント集計装置は、団体毎に複数設けられており、
前記携帯情報端末の送信手段は、前記撮像手段により撮像されたレシートに印刷された符号化コードを、前記ユーザが属する団体用に設けられたポイント集計装置に送信することを特徴とする
請求項１から４の何れか１項に記載の商品ポイント集計システム。
【発明の詳細な説明】
【技術分野】
【０００１】
本発明は、商品を購入したユーザに付与されるポイントを集計する商品ポイント集計システムに関する。
【背景技術】
【０００２】
従来から、商品を購入したユーザに対して当該商品の販売価格に応じたポイントを付与し、当該付与されたポイントを商品や金券に交換可能とするポイントシステムが存在する。一部のポイントシステムでは、商品を購入したユーザ自身がポイントを集計し、当該集計したポイント数をポイント運営会社に申告する仕組みを採用している。例えば、ベルマーク（登録商標）は商品の包装袋等に印刷されており、商品を購入したユーザは当該商品の包装袋からベルマーク（登録商標）を切り取って当該ベルマーク（登録商標）の点数を集計する必要があり、点数集計のためのユーザの労力が大きかった。また、点数の集計の際に計算ミスも発生し易く、また、故意に実際よりも多い点数を運営会社に申告するという問題もあった。
【０００３】
ユーザが購入した商品に付与されるポイントを商品毎に集計するシステムとして、例えば特許文献１に記載のものがある。
【先行技術文献】
【特許文献】
【０００４】
【特許文献１】特開２０１３−１８６５１３号公報
【発明の概要】
【発明が解決しようとする課題】
【０００５】
しかしながら、ベルマーク（登録商標）は学校等の所定の団体単位で集計されるものであるため、特許文献１に記載の技術のように、ユーザ単位、商品単位で集計することができるだけでは不十分である。学校単位等の適切な団体単位で手間をかけずにポイントを集計することができ、また、集計ミスや不正を防ぐシステムが望まれている。
【０００６】
本発明は、上述した問題点を解決するためになされたものであり、商品に付与されたポイントの集計を団体単位で容易に行うことができる商品ポイント集計システムを提供することを目的とする。
また、本発明は、商品に付与されているポイントの集計を団体単位で誤りなく行うことができる商品ポイント集計システムを提供することを目的とする。
【課題を解決するための手段】
【０００７】
上記目的の少なくとも１つを達成するために、本発明に係る商品ポイント集計システムは、レシート発行装置と、所定の団体に属するユーザが所持する携帯情報端末と、ポイント集計装置と、を備えた商品ポイント集計システムであって、前記レシート発行装置は、商品の販売時に、発行されるレシートに印刷される情報であるレシート印刷情報に加えて、前記レシート印刷情報と前記商品に関する固有の情報と前記商品に付与されるポイントとを符号化した符号化コードを印刷したレシートを発行するレシート発行手段を備え、前記携帯情報端末は、前記レシート発行装置により発行されたレシートに印刷された符号化コードを撮像する撮像手段と、前記撮像手段により撮像された符号化コードを、前記ポイント集計装置に送信する送信手段とを備え、前記ポイント集計装置は、前記携帯情報端末から受信した符号化コードに基づいて前記レシートが発行されたときに販売された前記商品に付与されたポイントを取得するポイント取得手段と、前記ポイント取得手段により取得されたポイントを前記ユーザが属する前記所定の団体のポイントとして集計するポイント集計手段と、を備えたことを特徴とする。
【０００８】
本発明によれば、前記携帯情報端末は撮像された符号化コードを前記ポイント集計装置に送信し、前記ポイント集計装置は前記携帯情報端末から受信した符号化コードに基づいて前記商品に付与されたポイントを取得し、該取得されたポイントを前記ユーザが属する前記所定の団体のポイントとして集計するため、商品に付与されたポイントの集計を団体単位で容易に行うことができる。また、ポイントがベルマークの場合には、商品の包装袋からベルマーク（登録商標）を切り取って当該ベルマーク（登録商標）の点数を集計する労力をなくすことができる。
【０００９】
上記発明において、前記ポイント集計装置は、同一のレシートに印刷された符号化コードを複数受信したか否かをチェックする重複チェック手段を備え、前記重複チェック手段により同一のレシートに印刷された符号化コードを複数受信したと判定された場合には、前記ポイント集計手段は、前記複数の同一のレシートに印刷された符号化コードのうち１つの前記レシートに印刷された符号化コードに対応するポイントのみを集計対象とすることを特徴とする。
本発明によれば、重複チェックを行うことで、商品に付与されているポイントの集計を団体単位で誤りなく行うことができる。
【００１０】
上記発明において、前記重複チェック手段は、受信した符号化コードで表される情報内容を比較することにより、同一のレシートに印刷された符号化コードを複数受信したか否かをチェックすることを特徴とする。
本発明によれば、符号化コードで表される情報内容を比較することにより、重複チェックを容易にかつ正確に行うことができる。
【００１１】
上記発明において、前記商品に関する固有の情報には、前記商品が製造された年月日と、前記商品が製造された工場と、に関する情報の少なくとも一方が含まれることを特徴とする。
本発明によれば、前記商品が製造された年月日や前記商品が製造された工場等の前記商品に関する情報も符号化コードで管理することができ、符号化コードを用いて重複チェックを正確に行うことができる。
【００１２】
上記発明において、前記ポイント集計装置は、団体毎に複数設けられており、前記携帯情報端末の送信手段は、前記撮像手段により撮像されたレシートに印刷された符号化コードを、前記ユーザが属する団体用に設けられたポイント集計装置に送信することを特徴とする。
本発明によれば、団体毎に複数のポイント集計装置を設け、前記携帯情報端末は撮像されたレシートに印刷された符号化コードを、前記携帯情報端末を所持するユーザが属する団体用に設けられたポイント集計装置に送信し、前記ポイント集計装置は前記携帯情報端末から受信した符号化コードに基づいて前記商品に付与されたポイントを取得し、該取得されたポイントを集計するため、商品に付与されたポイントの集計を団体単位で容易に行うことができる。
【図面の簡単な説明】
【００１３】
【図１】本発明の実施形態に係る商品ポイント集計システムの全体構成図である。
【図２】同実施形態に係る商品ポイント集計システムを構成するレシート発行装置の機能構成を示すブロック図である。
【図３】レシート発行装置が発行したレシートのレイアウトの一例を示す図である。
【図４】同実施形態に係る商品ポイント集計システムを構成する携帯情報端末に記憶されているデータの一例を示す図である。
【図５】同実施形態に係る商品ポイント集計システムを構成する携帯情報端末の機能構成を示すブロック図である。
【図６】同実施形態に係る商品ポイント集計システムを構成するポイント集計装置の機能構成を示すブロック図である。
【図７】同実施形態に係る商品ポイント集計システムが行う商品ポイント集計処理の手順を示すフローチャートである。
【発明を実施するための形態】
【００１４】
以下、添付図面を参照して、本発明の実施形態について詳細に説明する。
図１は、本発明の実施形態に係る商品ポイント集計システム１の全体構成図である。同図に示すように、商品ポイント集計システム１は、レシート発行装置１０と、携帯情報端末２０と、ポイント集計装置３０と、を含んで構成されており、これらの装置はインターネットや無線通信網等の通信ネットワーク４０で接続されている。なお、同図では、１つのポイント集計装置３０のみを表示しているが、実際には複数存在する。
【００１５】
レシート発行装置１０は、例えばＰＯＳ（Point Of Sales）端末である。
レシート発行装置１０は、ハードウェアとして、ＣＰＵと、ＲＡＭ、ＲＯＭ、ハードディスク等の記憶装置と、通信インターフェースと、テンキー・ディスプレイ等の入出力インターフェースと、印刷装置と、内部時計と、を備えている。記憶装置には、各種データ、プログラム等のソフトウェアが記憶されている。
【００１６】
例えば、レシート発行装置１０のハードディスクには、店舗で販売している各商品に付与されるポイント、各商品の販売価格、レシートの上部に印刷する店舗名や電話番号等の店舗情報等のデータが記憶されている。また、ハードディスクには、ユーザが購入した複数の商品価格を合計するためのプログラム、符号化コードを生成したり読み取ったりするためのプログラム、商品の販売時に印刷すべき情報を編集してレシートに印刷するためのプログラム等が記憶されている。
レシート発行装置１０のＣＰＵが記憶装置に記憶されているこれらのプログラムを読み出し、当該プログラムに従って処理を実行することにより、図２に示すレシート発行部１１がレシート発行装置１０に実現される。
【００１７】
レシート発行部１１は、商品の販売時に、レシートに一般的に印刷される情報であるレシート印刷情報に加えて、当該レシート印刷情報と当該商品に関する固有の情報と当該商品に付与されるポイントとを符号化した符号化コードを印刷したレシートを発行する。
【００１８】
「符号化コード」としては、例えば２次元符号化コードとしてＱＲコード（登録商標）が存在するが、ＳＰコード、ＣＰコード、バーコード、電子透かし等であってもよい。
「レシート印刷情報」としては、可変情報として、販売した商品の商品コード、商品名、販売数量、商品の販売価格（単価）、合計金額、販売日時等が存在し、不変情報として、商品を販売した店舗の名称、電話番号、住所等が存在する。販売日時は内部時計から取得される。それ以外の上記レシート印刷情報は、本実施形態ではレシート発行装置１０のハードディスクに記憶されているとして説明するが、これに限定されることはなく、例えば、通信ネットワーク４０上の別の通信装置に記憶されていてもよい。
「商品に関する固有の情報」には、当該商品が製造された年月日と、当該商品が製造された工場と、に関する情報の少なくとも一方が含まれる。工場に関する情報には、工場の住所、電話番号、生産責任者名、製造ライン等の情報が存在する。この商品に関する情報は、例えば、商品の外箱や包装袋に印刷されているバーコードから取得することができる。
【００１９】
図３には、レシート発行装置１０のレシート発行部１１により発行されたレシートの一例を示す。この例では、符号化コードとしてＱＲコード（登録商標）がレシートに印刷されている。
【００２０】
（携帯情報端末の構成）
次に、携帯情報端末２０の構成について説明ずる。携帯情報端末２０は、撮像機能と通信機能を有する端末であり、例えばスマートフォンである。携帯情報端末２０は、ハードウェアとして、ＣＰＵと、ＲＡＭ、ＲＯＭ等の記憶装置と、通信インターフェースと、操作ボタン・ディスプレイ等の入出力インターフェースと、カメラと、を備えている。記憶装置には、各種データおよびプログラム等のソフトウェアが記憶されている。なお、携帯情報端末２０は、撮像機能とその他の機能とが分離した複数の装置で構成されていてもよい。
【００２１】
携帯情報端末２０の記憶装置には、データとして、例えば、図４に示すような、当該携帯情報端末２０を所持するユーザが属する団体名が記憶されている。団体とは、例えば、ユーザの子供が通学する学校である。また、携帯情報端末２０の記憶装置には、当該団体が所持するポイント集計装置３０を通信ネットワーク４０上で識別するための識別情報が記憶されている。
また、携帯情報端末２０の記憶装置には、画像を撮影するためのプログラム、撮影した画像をユーザが属する団体用に設けられたポイント集計装置３０に送信するためのプログラム、符号化コードを復号するためのプログラム等が記憶されている。携帯情報端末２０のＣＰＵが当該プログラムを実行することにより、図５に示す機能が携帯情報端末２０に実現される。
【００２２】
撮像部２１は、レシート発行装置１０のレシート発行部１１により発行されたレシートに印刷された符号化コードを撮像する。
送信部２２は、記憶装置に記憶されたユーザが属する団体の通信ネットワーク４０上の識別情報を参照して、撮像部２１により撮像されたレシートに印刷された符号化コードを、携帯情報端末２０を所持するユーザが属する団体用に設けられたポイント集計装置３０に送信する。なお、送信部２２は、撮像された符号化コードを含むレシート画像全てをポイント集計装置３０に送信してもよいし、当該符号化コードを復号し、当該復号した符号化コードをポイント集計装置３０に送信してもよい。また、送信部２２は、携帯情報端末２０を所持するユーザが属する団体を識別するための情報についてもポイント集計装置３０に送信するようにしてもよい。
【００２３】
（ポイント集計装置の構成）
次に、ポイント集計装置３０の構成について説明ずる。ポイント集計装置３０は、例えばクラウドサービスで提供されるサーバ、パーソナルコンピュータ等の通信装置である。ポイント集計装置３０は、団体（学校、公民館等）毎に設けられており、所定の団体用に設けられたポイント集計装置３０は、当該所定の団体に属するユーザが所持する携帯情報端末２０からレシートに印刷された符号化コードを受信する。ポイント集計装置３０は、ハードウェアとして、ＣＰＵと、ＲＡＭ、ＲＯＭ、ハードディスク等の記憶装置と、通信インターフェースと、入出力インターフェースと、を備えている。記憶装置には、各種データおよびプログラム等のソフトウェアが記憶されている。
【００２４】
ポイント集計装置３０のハードディスクには、符号化コードを復号するためのプログラム、ポイントを集計するためのプログラム、重複チェックを行うためのプログラム等が記憶されている。ポイント集計装置３０のＣＰＵが当該プログラムを実行することにより、図６に示す機能がポイント集計装置３０に実現される。
ポイント取得部３１は、携帯情報端末２０から受信した符号化コードに基づいて、当該符号化コードが印刷されたレシートが発行されたときに販売された商品に付与されたポイントを取得する。具体的には、ポイント取得部３１は、受信した符号化コードを復号して、当該復号化された情報の中から、商品に付与されたポイントを取得する。なお、携帯情報端末２０から受信した情報が、既に復号化された符号化コードである場合には、ポイント取得部３１は、当該復号化された符号化コードの中から、商品に付与されたポイントを取得する。
ポイント集計部３２は、ポイント取得部３１により取得されたポイントを集計する。
【００２５】
重複チェック部３３は、同一のレシートに印刷された符号化コードを複数受信したか否かをチェックする。
重複チェック部３３により同一のレシートに印刷された符号化コードを複数受信したと判定された場合には、ポイント集計部３２は、複数の同一のレシートに印刷された符号化コードのうち１つの前記レシートに印刷された符号化コードに対応するポイントのみを集計対象とする。
重複チェックの際、重複チェック部３３は、受信した符号化コードで表される情報内容を比較することにより、同一のレシートに印刷された符号化コードを複数受信したか否かをチェックする。当該符号化コードは、レシート印刷情報と商品に関する固有の情報とレシートが発行されたときに販売された商品のポイントとを表しているため、符号化コードで表される情報内容同士を比較することで、正確かつ容易にレシートの重複チェックを行うことができる。なお、符号化コードを復号化した情報内容を比較せずに、符号化コードのまま比較してもよい。
【００２６】
（商品ポイント集計処理）
次に、図７に示すフローチャートを参照して、商品ポイント集計システム１が行う商品ポイント集計処理の手順について説明する。
ここでは、ユーザＡが所持する携帯情報端末２０には、図４に示す情報が記憶されているものとする。また、ここでは、レシートに印刷される符号化コードは２次元符号化コードであるものとする。
まず、ユーザＡは店舗で購入しようとする１つの商品Ｘを、レシート発行装置１０の付近に居る店員に渡す。店員は、当該商品Ｘの外箱に印刷されているバーコードを読み取る操作を行い、当該商品Ｘのバーコード情報をレシート発行装置１０に入力する操作を行う。
これにより、レシート発行装置１０のレシート発行部１１は、レシート発行装置１０の記憶装置から、販売店の名称、住所、電話番号等の販売店情報と、前記バーコード情報から取得した商品Ｘの商品コードに対応する商品名、販売価格と、当該商品Ｘに付与されるポイントと、を取得する。また、レシート発行部１１は、前記バーコード情報から、商品Ｘが製造された年月日や商品Ｘが製造された工場に関する情報等の、商品Ｘに関する固有の情報を取得する。また、レシート発行部１１は、内部時計より現在日時を取得する。そして、レシート発行部１１は、商品Ｘの商品コード、商品Ｘの商品名、商品Ｘの販売数量、商品Ｘの販売価格、合計金額、店舗名、店舗住所、店舗電話番号、販売日時等のレシート印刷情報と、商品Ｘに付与されるポイントと、商品Ｘに関する固有の情報と、を２次元符号化して、２次元符号化コードを生成する。そして、レシート発行部１１は、当該２次元符号化コードと前記レシート印刷情報とを所定のレイアウトに編集して印刷し、レシートを発行する（ステップＳ１０２）。
【００２７】
次に、ユーザＡは、携帯情報端末２０を用いて当該発行されたレシートに印刷された２次元符号化コードを撮像する操作を行う。これにより、携帯情報端末２０の撮像部２１はレシートに印刷された２次元符号化コードを撮像する（ステップＳ１０４）。
次に、ユーザＡは、前記２次元符号化コードを送信する操作を行う。これにより、携帯情報端末２０の送信部２２は、携帯情報端末２０に予め記憶されたユーザの所属する団体（Ｂ学校）と、当該Ｂ学校が所持するポイント集計装置３０の通信ネットワーク４０上の識別情報と、を参照して、前記２次元符号化コードを、当該ユーザＡが属するＢ学校が所持するポイント集計装置３０に送信する（ステップＳ１０６）。
【００２８】
Ｂ学校が所持するポイント集計装置３０は、携帯情報端末２０から前記２次元符号化コードを受信する（ステップＳ１０８）。
ポイント集計装置３０のポイント取得部３１は、前記２次元符号化コードを復号して、レシートに印刷された商品Ｘに付与されたポイントを取得する（ステップＳ１１０）。
ポイント集計装置３０の重複チェック部３３は、ステップＳ１０８で受信した前記２次元符号化コードを、それよりも前に受信した複数の２次元符号化コードと比較することにより、同一のレシートに印刷された２次元符号化コードを過去に受信したか否かをチェックする（ステップＳ１１２）。重複チェック部３３は、同一の２前記２次元符号化コードが存在した場合には、同一のレシートに印刷された２次元符号化コードを複数受信したと判定する。
ポイント集計装置３０のポイント集計部３２はポイントを集計する（ステップＳ１１４）。ここで、重複チェック部３３により同一のレシートに印刷された２次元符号化コードを複数受信したと判定された場合には、ポイント集計部３２は、複数の同一のレシートに印刷された２次元符号化コードのうち１つのレシートに印刷された２次元符号化コードに対応するポイントのみを集計対象とする。
【００２９】
以上説明したように、団体毎に複数のポイント集計装置３０を設け、携帯情報端末２０は、撮像されたレシートに印刷された符号化コードを、当該携帯情報端末２０を所持するユーザが属する団体用に設けられたポイント集計装置３０に送信し、ポイント集計装置３０は、受信した符号化コードを復号して商品に付与されたポイントを取得し、当該取得されたポイントを集計するため、商品に付与されたるポイントの集計を団体単位で容易に行うことができる。ポイントがベルマークである場合には、人手により商品の包装袋からベルマーク（登録商標）を切り取って当該ベルマーク（登録商標）の点数を集計する労力をなくすことができる。
【００３０】
また、ポイント集計装置３０は、同一のレシートに印刷された符号化コードを複数受信したか否かをチェックし、複数受信したと判定した場合には、前記複数の同一のレシートに印刷された符号化コードのうち１つの前記レシートに印刷された符号化コードに対応するポイントのみを集計対象とするため、商品に付与されているポイントの集計を団体単位で誤りなく容易に行うことができる。
また、商品に関する固有の情報には、商品が製造された年月日と、商品が製造された工場と、に関する情報の少なくとも一方がが含まれているため、これらの商品に関する固有の情報も符号化コードで管理することができ、当該符号化コードを用いて重複チェックを正確に行うことができる。
【００３１】
なお、上述した実施形態では、ポイント集計装置３０は団体毎に設けられており、携帯情報端末２０は、当該携帯情報端末２０を所持するユーザが属する団体用に設けられているポイント集計装置３０に符号化コードを送信するとして説明したが、これに限定されることはなく、ポイント集計装置３０は、団体毎に設けられていない一般的な１つのサーバであってもよい。この場合には、携帯情報端末２０は、上述した符号化コードとともに携帯情報端末２０を所持するユーザが属する団体を識別するための情報をポイント集計装置３０に送信し、ポイント集計装置３０は携帯情報端末２０から受信した団体を識別するための情報に基づいて、ユーザが属する団体毎にポイントを集計することとなる。
【符号の説明】
【００３２】
１・・・・商品ポイント集計システム
１０・・・レシート発行装置
１１・・・レシート発行部
２０・・・携帯情報端末
２１・・・撮像部
２２・・・送信部
３０・・・ポイント集計装置
３１・・・ポイント取得部
３２・・・ポイント集計部
３３・・・重複チェック部
４０・・・通信ネットワーク
【図１】
2017219983.tif 000003
【図２】
2017219983.tif 000004
【図３】
2017219983.tif 000005
【図４】
2017219983.tif 000006
【図５】
2017219983.tif 000007
【図６】
2017219983.tif 000008
【図７】
2017219983.tif 000009
【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
レシート発行装置と、所定の団体に属するユーザが所持する携帯情報端末と、ポイント集計装置と、を備えた商品ポイント集計システムであって、
前記レシート発行装置は、
商品の販売時に、発行されるレシートに印刷される情報であるレシート印刷情報に加えて、前記レシート印刷情報と前記商品に関する固有の情報と前記商品に付与されるポイントとを符号化した符号化コードを印刷したレシートを発行するレシート発行手段を備え、
前記携帯情報端末は、
前記ユーザが属する前記所定の団体を識別する団体情報を予め記憶する団体情報記憶手段と、
前記レシート発行装置により発行されたレシートに印刷された符号化コードを撮像する撮像手段と、
前記撮像手段により撮像された符号化コード及び前記団体情報記憶手段に記憶された前記団体情報を、前記ポイント集計装置に送信する送信手段とを備え、
前記ポイント集計装置は、
前記携帯情報端末から受信した符号化コードに基づいて前記レシートが発行されたときに販売された前記商品に付与されたポイントを取得するポイント取得手段と、
前記ポイント取得手段により取得されたポイントを、前記団体情報で識別される、前記ユーザが属する前記所定の団体のポイントとして集計するポイント集計手段と、
を備えたことを特徴とする商品ポイント集計システム。
【請求項２】
前記ポイント集計装置は、同一のレシートに印刷された符号化コードを複数受信したか否かをチェックする重複チェック手段を備え、
前記重複チェック手段により同一のレシートに印刷された符号化コードを複数受信したと判定された場合には、前記ポイント集計手段は、前記複数の同一のレシートに印刷された符号化コードのうち１つの前記レシートに印刷された符号化コードに対応するポイントのみを集計対象とすることを特徴とする
請求項１に記載の商品ポイント集計システム。
【請求項３】
前記重複チェック手段は、受信した符号化コードで表される情報内容を比較することにより、同一のレシートに印刷された符号化コードを複数受信したか否かをチェックすることを特徴とする
請求項２に記載の商品ポイント集計システム。
【請求項４】
前記商品に関する固有の情報には、前記商品が製造された年月日と、前記商品が製造された工場と、に関する情報の少なくとも一方が含まれることを特徴とする
請求項１から３の何れか１項に記載の商品ポイント集計システム。
【請求項５】
前記ポイント集計装置は、団体毎に複数設けられており、
前記携帯情報端末の送信手段は、前記撮像手段により撮像された符号化コード及び前記団体情報記憶手段に記憶された前記団体情報を送信する代わりに、前記符号化コードを、前記ユーザが属する団体用に設けられたポイント集計装置に送信することを特徴とする
請求項１から４の何れか１項に記載の商品ポイント集計システム。